(57)【要約】本願は、グループメッセージを処理する方法及びデバイスを開示する。この方法は、グループメッセージ表示インターフェースにおいて第１の連絡先のプロフィール画像が第１の方向へ所定距離だけドラッグされたことを検出するステップと、第１の連絡先の全てのメッセージを、グループメッセージ表示インターフェースにて、第１の連絡先のプロフィール画像に基づいてメッセージが投稿された時系列に従って表示するステップとを含む。これにより、グループチャットの複数のメッセージ中のメッセージを見逃してしまう既存の高い確率を下げる。
2019515401.tif 000002
【特許請求の範囲】
【請求項１】
グループメッセージ表示インターフェースにおける第１の連絡先に対する操作を検出するステップと；
前記グループメッセージ表示インターフェースへ、第１の連絡先の全てのメッセージを、前記メッセージが投稿された時系列に従って表示するステップと；
他の連絡先のメッセージを隠すステップと；を備える、
グループメッセージを処理する方法。
【請求項２】
前記グループメッセージ表示インターフェースにおいて前記第１の連絡先のプロフィール画像が第１の方向へ所定距離分、ドラッグされたことを検出するステップと；
前記グループメッセージ表示インターフェースへ、前記第１の連絡先の全ての前記メッセージを、前記第１の連絡先の前記プロフィール画像に基づき、前記メッセージが投稿された時系列に従って表示するステップと；
前記他の連絡先のメッセージ件数を、前記グループメッセージ表示インターフェースの対応する表示位置に、前記メッセージが投稿された時系列に従って表示するステップと；を更に備える、
請求項１に記載のグループメッセージを処理する方法。
【請求項３】
前記グループメッセージ表示インターフェースの色を変えるステップ、及び／又は、前記グループメッセージ表示インターフェースへ、前記第１の連絡先のメッセージを選択するプロンプトを表示するステップを更に備える、
請求項１又は請求項２に記載のグループメッセージを処理する方法。
【請求項４】
第１のアイコンと第２のアイコンとを、前記グループメッセージ表示インターフェースの所定位置に表示するステップを更に備え、前記第１のアイコンは全ての連絡先を示すアイコンを表し、前記第２のアイコンは前記選択された第１の連絡先を示すプロフィール画像アイコンを表す、
請求項１又は請求項２に記載のグループメッセージを処理する方法。
【請求項５】
前記グループメッセージ表示インターフェースの前記所定位置において前記第１のアイコンがタップされたことを検出すると、全ての前記連絡先のメッセージを、前記メッセージが投稿された時系列に従って表示するステップ；及び／又は、
前記グループメッセージ表示インターフェースにおいて前記メッセージ件数がタップされたことを検出すると、前記メッセージ件数に対応する全てのメッセージを、前記メッセージが投稿された時系列に従って表示するステップ；を更に備える、
請求項４に記載のグループメッセージを処理する方法。
【請求項６】
前記グループメッセージ表示インターフェースへ、前記第１の連絡先の全ての前記メッセージを、前記第１の連絡先の前記プロフィール画像に基づき、前記メッセージが投稿された時系列に従って表示する前記ステップの後に：
前記グループメッセージ表示インターフェースにおいて第２の連絡先のプロフィール画像が前記第１の方向へ所定距離分、ドラッグされたことを検出するステップと；
前記グループメッセージ表示インターフェースへ、前記第２の連絡先の全てのメッセージを、前記第２の連絡先の前記プロフィール画像に基づき、前記メッセージが投稿された時系列に従って追加表示するステップであって、前記第１の連絡先の全ての前記メッセージ及び前記第２の連絡先の全ての前記メッセージは、前記メッセージが投稿された時系列に従って表示される、前記追加表示するステップと；
前記グループメッセージ表示インターフェースの所定位置に、第３のアイコンを追加表示するステップであって、前記第３のアイコンは、前記選択された第２の連絡先を示すプロフィール画像を表す、前記追加表示するステップと；
前記グループメッセージ表示インターフェースにて、前記第２の連絡先のメッセージ件数を、前記メッセージが投稿された時系列に従って、前記対応する表示位置に表示された前記他の連絡先の前記メッセージ件数から減算するステップと；を更に備える、
請求項２に記載のグループメッセージを処理する方法。
【請求項７】
前記グループメッセージ表示インターフェースの前記所定位置において第２のアイコン又は前記第３のアイコンが第２の方向へ所定距離分、ドラッグされたことを検出するステップと；
前記第２のアイコン又は前記第３のアイコンに対応する連絡先のメッセージを前記グループメッセージ表示インターフェースへ表示するステップをスキップするステップと；
前記グループメッセージ表示インターフェースにて、前記第２のアイコン又は前記第３のアイコンに対応する前記連絡先のメッセージ件数分、前記メッセージが投稿された時系列に従って、前記対応する表示位置に表示された前記他の連絡先の前記メッセージ件数を増分するステップと；を更に備える、
請求項６に記載のグループメッセージを処理する方法。
【請求項８】
新しいメッセージを検出する際、前記新しいメッセージは、選択された連絡先により投稿された新しいメッセージである、又は、ユーザにより投稿された新しいメッセージである、と特定された場合、前記新しいメッセージを前記グループメッセージ表示インターフェースに表示するステップと；
前記新しいメッセージが他の連絡先により投稿された新しいメッセージである、と特定された場合、前記新しいメッセージを前記グループメッセージ表示インターフェースへ表示するステップをスキップし、前記メッセージ件数を、前記メッセージが投稿された時系列に従って前記対応する表示位置に表示するステップと；を更に備える、
請求項１乃至請求項７に記載のグループメッセージを処理する方法。
【請求項９】
グループメッセージ表示インターフェースにて第１の連絡先への操作を検出するよう構成された検出モジュールと；
前記グループメッセージ表示インターフェースへ、前記第１の連絡先の全てのメッセージを、前記メッセージが投稿された時系列に従って表示するよう構成された第１の表示モジュールと；
他の連絡先のメッセージを隠すように構成された隠しモジュールと；を備える、
グループメッセージを処理するデバイス。
【請求項１０】
前記検出モジュールは、前記グループメッセージ表示インターフェースにおいて前記第１の連絡先のプロフィール画像が第１の方向へ所定距離分、ドラッグされたことを検出するよう構成され；
前記第１の表示モジュールは、前記第１の連絡先の全ての前記メッセージを、前記第１の連絡先の前記プロフィール画像に基づき、前記メッセージが投稿された時系列に従って前記グループメッセージ表示インターフェースへ表示するよう構成され；
前記他の連絡先のメッセージ件数を、前記メッセージが投稿された時系列に従って、前記グループメッセージ表示インターフェースの対応する表示位置に表示するよう構成された第２の表示モジュールを更に備える、
請求項９に記載のグループメッセージを処理するデバイス。
【請求項１１】
選択プロンプトモジュールを更に備え、前記選択プロンプトモジュールは、前記グループメッセージ表示インターフェースにおいて前記第１の連絡先の前記プロフィール画像が前記第１の方向へ前記所定距離分、ドラッグされたことを前記検出モジュールが検出した後に、前記グループメッセージ表示インターフェースの色を変えるよう、及び／又は、前記第１の連絡先の前記メッセージを選択するプロンプトを前記グループメッセージ表示インターフェースに表示するよう構成される、
請求項９又は請求項１０に記載のグループメッセージを処理するデバイス。
【請求項１２】
第１のアイコンと第２のアイコンとを前記グループメッセージ表示インターフェースの所定位置に表示するよう構成された第３の表示モジュールを更に備え、前記第１のアイコンは全ての連絡先を示すアイコンを表し、前記第２のアイコンは前記選択された第１の連絡先を示すプロフィール画像アイコンを表す、
請求項９又は請求項１０に記載のグループメッセージを処理するデバイス。
【請求項１３】
前記検出モジュールは、前記グループメッセージ表示インターフェースの前記所定位置において前記第１のアイコンがタップされたことを検出するよう更に構成され；
前記第１の表示モジュールは、全ての前記連絡先のメッセージを、前記メッセージが投稿された時系列に従って表示するよう更に構成され；
前記検出モジュールは、前記グループメッセージ表示インターフェースにおいて前記メッセージ件数がタップされたことを検出するように更に構成され；
前記第１の表示モジュールは、前記メッセージ件数に対応する全てのメッセージを、前記メッセージが投稿された時系列に従って表示するように更に構成される；
請求項９又は請求項１０に記載のグループメッセージを処理するデバイス。
【請求項１４】
前記検出モジュールは：前記第１の表示モジュールが、前記第１の連絡先の全ての前記メッセージを、前記メッセージが投稿された時系列に従って、前記グループメッセージ表示インターフェースへ表示した後に、前記グループメッセージ表示インターフェースにおける第２の連絡先のプロフィール画像が前記第１の方向へ所定距離分、ドラッグされたことを検出するよう更に構成され；
前記第１の表示モジュールは、前記グループメッセージ表示インターフェースにおいて前記第２の連絡先の全てのメッセージを、前記第２の連絡先の前記プロフィール画像に基づき、前記メッセージが投稿された時系列に従って追加表示するよう更に構成され、前記第１の連絡先の全ての前記メッセージと前記第２の連絡先の全ての前記メッセージとが、前記メッセージが投稿された時系列に従って表示され；
第３の表示モジュールは、第３のアイコンを、前記グループメッセージ表示インターフェースの所定位置に追加表示するよう構成され、前記第３のアイコンは前記選択された第２の連絡先を示すプロフィール画像アイコンを表し；
前記第２の表示モジュールは、前記グループメッセージ表示インターフェースにて、前記第２の連絡先のメッセージ件数を、前記メッセージが投稿された時系列に従って、前記対応する表示位置に表示された前記他の連絡先の前記メッセージ件数から減算するよう更に構成される、
請求項９又は請求項１０に記載のグループメッセージを処理するデバイス。
【請求項１５】
前記検出モジュールは、前記グループメッセージ表示インターフェースの所定位置において第２のアイコン又は前記第３のアイコンが第２の方向へ所定距離分、ドラッグされたことを検出するよう更に構成され；
前記第１の表示モジュールは、前記グループメッセージ表示インターフェースにて、前記第２のアイコン又は前記第３のアイコンに対応する連絡先のメッセージを表示するステップをスキップするよう更に構成され；
前記第２の表示モジュールは、前記グループメッセージ表示インターフェースにて、前記メッセージが投稿された時系列に従って、前記対応する表示位置に表示された前記他の連絡先の前記メッセージ件数を、前記第２のアイコン又は前記第３のアイコンに対応する前記連絡先のメッセージの件数分、増分するよう更に構成される、
請求項１４に記載のグループメッセージを処理するデバイス。
【請求項１６】
前記第１の表示モジュールは、前記検出モジュールが新しいメッセージを検出し、前記新しいメッセージは、選択された連絡先により投稿された新しいメッセージである、又は、ユーザにより投稿された新しいメッセージである、と特定した場合、前記グループメッセージ表示インターフェースに前記新しいメッセージを表示するよう更に構成され；
前記第２の表示モジュールは、前記検出モジュールが新しいメッセージを検出し、前記新しいメッセージは他の連絡先により投稿された新しいメッセージである、と特定した場合、新しいメッセージを、前記グループメッセージ表示インターフェースへ表示するステップをスキップし、前記メッセージ件数を、前記メッセージが投稿された時系列に従って前記対応する表示位置に表示するよう更に構成される、
請求項９乃至請求項１５に記載のグループメッセージを処理するデバイス。
【発明の詳細な説明】
【技術分野】
【０００１】
本願は、インターネットコミュニケーション（通信）技術の分野に関し、特に、グループメッセージを処理する方法及びデバイスに関する。
【背景技術】
【０００２】
インターネット技術の発展に伴い、インターネットベースのインスタントメッセージング（ＩＭ）アプリケーションが幅広く使われるようになっている。現在、ＩＭアプリケーションにおいてチャットグループを設定できる。チャットグループには複数のメンバを含むことができる。各メンバは、チャットグループを確立することによりグループチャットを開始できる。各メンバはグループチャットの最中にグループチャットメッセージを生成でき、ＩＭアプリケーションは、グループチャットの最中に生成されたこのグループチャットメッセージをチャットウインドウに表示する。
【０００３】
現在、各メンバにより生成されたグループチャットメッセージには投稿時刻が付される。ＩＭアプリケーションは、チャットインターフェース内の全てのグループチャットメッセージを、グループチャットの最中に生成されたグループチャットメッセージの投稿時刻に基づいて表示する。注意する点は、チャットインターフェースのウインドウが固定サイズであるということである。グループチャットの最中に比較的多くのグループチャットメッセージが生成された場合、ＩＭアプリケーションが、最も早く投稿されたグループチャットメッセージを表示ウインドウ内上方へ移動し、このグループチャットメッセージを表示ウインドウから外に出し、表示ウインドウ内にスクロールバーを設定する。ユーザは、先に投稿されたグループチャットメッセージを見たい場合、スクロールバーをドラッグし、自分が見たいグループチャットメッセージを表示ウインドウへ移動させることができる。全てのグループメンバが同じチャットグループを使ってチャットを行う際、あるメンバが大事なメッセージを投稿しても、他のメンバがチャットインターフェースに注意を払っていなければ、新たに生成されたグループチャットメッセージにより、大事なメッセージが表示ウインドウから出されてしまう可能性がある。その結果、注意を払っていなかったメンバは大事なメッセージを見逃してしまうことになる。
【発明の概要】
【０００４】
これに鑑み、本願は、グループチャットメッセージにおける大事なメッセージを見逃す既存の高い確率を下げるために、グループメッセージを処理する方法及びデバイスを提供する。
【０００５】
前述の技術的課題を解決するため、本願の第１の態様はグループメッセージを処理する方法を提供し、前記方法は：グループメッセージ表示インターフェースにおける第１の連絡先に対する操作を検出するステップと；前記グループメッセージ表示インターフェースへ、第１の連絡先の全てのメッセージを、前記メッセージが投稿された時系列に従って表示するステップと；他の連絡先のメッセージを隠すステップと；を含む。
【０００６】
任意に、前記方法は：前記グループメッセージ表示インターフェースにおいて前記第１の連絡先のプロフィール画像（写真）が第１の方向へ所定距離分、ドラッグされたことを検出するステップと；前記グループメッセージ表示インターフェースへ、前記第１の連絡先の全ての前記メッセージを、前記第１の連絡先の前記プロフィール画像に基づき、前記メッセージが投稿された時系列に従って表示するステップと；前記他の連絡先により投稿されたメッセージの件数を、前記グループメッセージ表示インターフェースの表示位置に、前記メッセージが投稿された時系列に従って表示するステップと；を更に含む。
【０００７】
任意に、前記方法は：前記グループメッセージ表示インターフェースの色を変えるステップ、及び／又は、前記グループメッセージ表示インターフェースへ、前記第１の連絡先のメッセージを選択するプロンプトを表示するステップを更に含む。
【０００８】
任意に、前記方法は：第１のアイコンと第２のアイコンとを、前記グループメッセージ表示インターフェースの所定位置に表示するステップを更に含み、前記第１のアイコンは全ての連絡先を示すアイコンを表し、前記第２のアイコンは前記選択された第１の連絡先を示すプロフィール画像アイコンを表す。
【０００９】
任意に、前記方法は：前記グループメッセージ表示インターフェースの前記所定位置において前記第１のアイコンがタップされたことを検出すると、全ての前記連絡先のメッセージを、前記メッセージが投稿された時系列に従って表示するステップ；及び／又は、前記グループメッセージ表示インターフェースにおいて前記メッセージ件数がタップされたことを検出すると、前記メッセージ件数に対応する全てのメッセージを、前記メッセージが投稿された時系列に従って表示するステップと；を更含む。
【００１０】
任意に、前記グループメッセージ表示インターフェースへ、前記第１の連絡先の全ての前記メッセージを、前記第１の連絡先の前記プロフィール画像に基づき、前記メッセージが投稿された時系列に従って表示する前記ステップの後に、前記方法は；前記グループメッセージ表示インターフェースにおいて第２の連絡先のプロフィール画像が前記第１の方向へ所定距離分、ドラッグされたことを検出するステップと；前記グループメッセージ表示インターフェースへ、前記第２の連絡先の全てのメッセージを、前記第２の連絡先の前記プロフィール画像に基づき、前記メッセージが投稿された時系列に従って追加表示するステップであって、前記第１の連絡先の全ての前記メッセージ及び前記第２の連絡先の全ての前記メッセージは、前記メッセージが投稿された時系列に従って表示される、前記追加表示するステップと；前記グループメッセージ表示インターフェースの所定位置に、第３のアイコンを追加表示するステップであって、前記第３のアイコンは、前記選択された第２の連絡先を示すプロフィール画像を表す、前記追加表示するステップと；前記グループメッセージ表示インターフェースにて、前記第２の連絡先のメッセージ件数を、前記メッセージが投稿された時系列に従って、前記対応する表示位置に表示された前記他の連絡先の前記メッセージ件数から減算するステップと；を更に含む。
【００１１】
任意に、前記方法は：前記グループメッセージ表示インターフェースの前記所定位置において第２のアイコン又は前記第３のアイコンが第２の方向へ所定距離分、ドラッグされたことを検出するステップと；前記第２のアイコン又は前記第３のアイコンに対応する連絡先のメッセージを前記グループメッセージ表示インターフェースへ表示するステップをスキップするステップと；前記グループメッセージ表示インターフェースにて、前記第２のアイコン又は前記第３のアイコンに対応する前記連絡先のメッセージ件数分、前記メッセージが投稿された時系列に従って、前記対応する表示位置に表示された前記他の連絡先の前記メッセージ件数を増分するステップと；を更に含む。
【００１２】
任意に、前記方法は：新しいメッセージを検出する際、前記新しいメッセージは、選択された連絡先により投稿されたメッセージである、又は、ユーザにより投稿された新しいメッセージである、と特定された場合、前記新しいメッセージを前記グループメッセージ表示インターフェースに表示するステップ；又は、前記新しいメッセージが他の連絡先により投稿された新しいメッセージである、と特定された場合、前記新しいメッセージを前記グループメッセージ表示インターフェースへ表示するステップをスキップし、前記メッセージ件数を、前記メッセージが投稿された時系列に従って前記対応する表示位置に表示するステップと；を更に含む。
【００１３】
本願の実施は、グループメッセージを処理するデバイスを更に提供し、前記デバイスは：グループメッセージ表示インターフェースにて第１の連絡先への操作を検出するよう構成された検出モジュールと；前記グループメッセージ表示インターフェースへ、前記第１の連絡先の全てのメッセージを、前記メッセージが投稿された時系列に従って表示するよう構成された第１の表示モジュールと；他の連絡先のメッセージを隠すように構成された隠しモジュールと；を含む。
【００１４】
任意に、前記検出モジュールは、前記グループメッセージ表示インターフェースにおいて前記第１の連絡先のプロフィール画像が第１の方向へ所定距離分、ドラッグされたことを検出するよう構成される。
【００１５】
前記第１の表示モジュールは、前記第１の連絡先の全ての前記メッセージを、前記第１の連絡先の前記プロフィール画像に基づき、前記メッセージが投稿された時系列に従って前記グループメッセージ表示インターフェースへ表示するよう構成される。
【００１６】
任意に、前記デバイスは：前記他の連絡先のメッセージ件数を、前記メッセージが投稿された時系列に従って、前記グループメッセージ表示インターフェースの対応する表示位置に表示するよう構成された第２の表示モジュールを更に含む。
【００１７】
任意に、前記デバイスは：前記グループメッセージ表示インターフェースにおいて前記第１の連絡先の前記プロフィール画像が前記第１の方向へ前記所定距離分、ドラッグされたことを前記検出モジュールが検出した後に、前記グループメッセージ表示インターフェースの色を変えるよう、及び／又は、前記第１の連絡先の前記メッセージを選択する通知（notification）を前記グループメッセージ表示インターフェースに表示するよう構成された選択通知モジュール（selection notification module）を更に含む。
【００１８】
任意に、前記デバイスは：第１のアイコンと第２のアイコンとを前記グループメッセージ表示インターフェースの所定位置に表示するよう構成された第３の表示モジュールを更に含み、前記第１のアイコンは全ての連絡先を示すアイコンを表し、前記第２のアイコンは前記選択された第１の連絡先を示すプロフィール画像アイコンを表す。
【００１９】
任意に、前記検出モジュールは、前記グループメッセージ表示インターフェースの前記所定位置において前記第１のアイコンがタップされたことを検出するよう更に構成され；前記第１の表示モジュールは、全ての前記連絡先のメッセージを、前記メッセージが投稿された時系列に従って表示するよう更に構成され；及び／又は、
前記検出モジュールは、前記グループメッセージ表示インターフェースにおいて前記メッセージ件数がタップされたことを検出するように更に構成され；前記第１の表示モジュールは、前記メッセージ件数に対応する全てのメッセージを、前記メッセージが投稿された時系列に従って表示するように更に構成される。
【００２０】
任意に、前記検出モジュールは：前記第１の表示モジュールが、前記第１の連絡先の全ての前記メッセージを、前記メッセージが投稿された時系列に従って前記グループメッセージ表示インターフェースへ表示した後に、前記グループメッセージ表示インターフェースにおける第２の連絡先のプロフィール画像が前記第１の方向へ所定距離分、ドラッグされたことを検出するよう更に構成される。
【００２１】
前記第１の表示モジュールは、前記グループメッセージ表示インターフェースにおいて前記第２の連絡先の全てのメッセージを、前記第２の連絡先の前記プロフィール画像に基づき、前記メッセージが投稿された時系列に従って追加表示するよう更に構成され、前記第１の連絡先の全ての前記メッセージと前記第２の連絡先の全ての前記メッセージとが、前記メッセージが投稿された時系列に従って表示される。
【００２２】
第３の表示モジュールは、第３のアイコンを、前記グループメッセージ表示インターフェースの所定位置に追加表示するよう構成され、前記第３のアイコンは前記選択された第２の連絡先を示すプロフィール画像アイコンを表す。
【００２３】
前記第２の表示モジュールは、前記グループメッセージ表示インターフェースにて、前記第２の連絡先のメッセージ件数を、前記メッセージが投稿された時系列に従って、前記対応する表示位置に表示された前記他の連絡先の前記メッセージ件数から減算するよう更に構成される。
【００２４】
任意に、前記検出モジュールは、前記グループメッセージ表示インターフェースの所定位置において第２のアイコン又は前記第３のアイコンが第２の方向へ所定距離分、ドラッグされたことを検出するよう更に構成される。
【００２５】
前記第１の表示モジュールは、前記グループメッセージ表示インターフェースにて、前記第２のアイコン又は前記第３のアイコンに対応する連絡先のメッセージを表示するステップをスキップするよう更に構成される。
【００２６】
前記第２の表示モジュールは、前記グループメッセージ表示インターフェースにて、前記メッセージが投稿された時系列に従って、前記対応する表示位置に表示された前記他の連絡先の前記メッセージ件数を、前記第２のアイコン又は前記第３のアイコンに対応する前記連絡先のメッセージの件数分、増分するよう更に構成される。
【００２７】
任意に、前記第１の表示モジュールは、前記検出モジュールが新しいメッセージを検出し、前記新しいメッセージは、選択された連絡先により投稿された新しいメッセージである、又は、ユーザにより投稿された新しいメッセージである、と特定した場合、前記グループメッセージ表示インターフェースに前記新しいメッセージを表示するよう更に構成される。
【００２８】
前記第２の表示モジュールは、前記検出モジュールが新しいメッセージを検出し、前記新しいメッセージは他の連絡先により投稿された新しいメッセージである、と特定した場合、新しいメッセージを、前記グループメッセージ表示インターフェースへ表示するステップをスキップし、前記メッセージ件数を、前記メッセージが投稿された時系列に従って、前記対応する表示位置に表示するよう更に構成される。
【００２９】
本開示の実施では、選択された連絡先がグループメッセージ表示インターフェースで操作された後に、選択された連絡先のメッセージ内容をグループメッセージ表示インターフェースに表示でき、それ以外の連絡先のメッセージのメッセージ内容は隠される、又は、メッセージ件数を、他の連絡先のメッセージが投稿された時系列に従って対応する表示場所へ自動表示する。よって、ユーザは、ユーザが知らねばならない、連絡先により投稿されたメッセージを、グループメッセージ表示インターフェースから迅速且つ便利に選択できるため、ユーザが知らねばならない、連絡先により投稿されたメッセージを見逃すことがない。そのため、メッセージを見逃す確率は下がる。
【００３０】
当然ながら、本願を実施する製品は、先の技術的効果の全てではなくとも、そのいくつかを奏する。
【図面の簡単な説明】
【００３１】
本明細書に記載の添付の図面は、本願のさらなる理解を提供することを意図しており、本願の一部を構成する。本願の例示的な実施及び実施の説明は、本願を説明することを意図しており、本願に対する限定を構成するものではない。添付の図面は以下のとおりである。
【００３２】
【図１】図１は、本願の実施による、グループメッセージを処理する方法を示す概略フローチャートである。
【００３３】
【図２】図２は、本願の実施による、グループメッセージ表示インターフェースを示す概略図である。
【００３４】
【図３】図３は、本願の実施による、プロフィール画像のドラッグ方向を示す概略図である。
【００３５】
【図４】図４は、本願の実施による、ある連絡先の選択されたメッセージの表示インターフェースを示す概略図である。
【００３６】
【図５】図５は、本願の実施による、グループメッセージを処理する方法を示す概略フローチャートである。
【００３７】
【図６】図６は、本願の実施による、メッセージ復元方法を示す概略図である。
【００３８】
【図７】図７は、本願の実施による、グループメッセージを処理する方法を示す概略フローチャートである。
【００３９】
【図８】図８は、本願の実施による、グループメッセージを処理する方法を示す概略フローチャートである。
【００４０】
【図９】図９は、本願の実施による、プロフィール画像のドラッグ方向を示す概略図である。
【００４１】
【図１０】図１０は、本願の実施による、ある連絡先の選択されたメッセージの表示インターフェースを示す概略図である。
【００４２】
【図１１】図１１は、本願の実施による、グループメッセージを処理する方法を示す概略フローチャートである。
【００４３】
【図１２】図１２は、本願の実施による、プロフィール画像のドラッグ方向を示す概略図である。
【００４４】
【図１３】図１３は、本願の実施による、グループメッセージを処理する方法を示す概略フローチャートである。
【００４５】
【図１４】図１４は、本願の実施による、グループメッセージを処理するデバイスを示す概略構造図である。
【発明を実施するための形態】
【００４６】
技術的問題を解決し技術的効果を達成するために、本願の技術的手段を使用する方法の完全な理解を提供し及び前記方法の実施プロセスを実施するために、添付の図面及び実施を参照して本願の実施を以下に詳細に説明する。
【００４７】
典型的な構成では、コンピューティングデバイスは、１つ又は複数のプロセッサ（ＣＰＵ）、入力／出力インターフェース、ネットワークインターフェース、及びメモリを含む。
【００４８】
メモリは、非永続的メモリ、ランダムアクセスメモリ（ＲＡＭ）、不揮発性メモリ、及び／又は、コンピュータ可読媒体内にある他の形態、例えば、読み取り専用メモリ（ＲＯＭ）又はフラッシュメモリ（フラッシュＲＡＭ）を含むことができる。メモリは、コンピュータ可読媒体の一例である。
【００４９】
コンピュータ可読媒体は、任意の方法又は技術を使用することによって情報を記憶することができる持続的、非持続的、移動可能、及び移動不能の媒体を含む。情報は、コンピュータ可読命令、データ構造、プログラムモジュール、又は他のデータとすることができる。コンピュータ記憶媒体の例は、相変化ランダムアクセスメモリ（ＰＲＡＭ）、スタティックランダムアクセスメモリ（ＳＲＡＭ）、ダイナミックランダムアクセスメモリ（ＤＲＡＭ）、他のタイプのランダムアクセスメモリ（ＲＡＭ）読み出し専用メモリ（ＲＯＭ）、電気的消去可能プログラマブル読み出し専用メモリ（ＥＥＰＲＯＭ）、フラッシュメモリ、又は他のメモリ技術、コンパクトディスク読み出し専用メモリ（ＣＤ−ＲＯＭ）、デジタル多用途ディスク（ＤＶＤ）、又は他の光学記憶装置、カセット磁気テープ、磁気テープ／磁気ディスク記憶装置、又は他の磁気記憶装置、又は他の任意の非伝送媒体を含むがこれらに限定されない。コンピュータ記憶媒体は、コンピューティングデバイスによってアクセス可能な情報を格納するために使用することができる。本明細書の定義に基づいて、コンピュータ可読媒体は、変調データ信号及び搬送波などの一時的コンピュータ可読媒体（transitory media）を含まない。
【００５０】
例えば、本明細書及び特許請求の範囲では、特定の構成要素を表すためにいくつかの単語が使用されている。当業者は、ハードウェア製造業者が異なる名詞を使用することによって同じ構成要素を命名することができることを理解すべきである。本明細書及び特許請求の範囲において、構成要素は、異なる名称を用いることによって互いに区別されない。代わりに、コンポーネントは異なる機能を使用することによって互いに区別される。例えば、本明細書及び特許請求の範囲を通して言及されている「含む」という語は、オープンタームであり、「〜を含むがこれに限定されない」と解釈されるべきである。「実質的に」とは、許容可能な誤差範囲内で、当業者が特定の誤差範囲内で技術的問題を解決して技術的効果を達成することができることを意味する。更に、本明細書における「結合」という用語は、任意の直接／間接の電気的結合手段を含む。したがって、本明細書において第１のデバイスが第２のデバイスに結合されると説明される場合、それは第１のデバイスが第２のデバイスに直接電気的に結合されるか、又は、他の装置を用いて若しくは結合手段で間接的に第２のデバイスに電気的に結合されることができることを意味する。本明細書における以下の説明は、本願の好ましい実施である。しかしながら、説明は、本願の一般的な原理を説明することを意図しており、本願の範囲を限定することを意図していない。本願の保護範囲は添付の特許請求の範囲に従う。
【００５１】
更に、用語「含む」「備える」又はそれらの任意の他の変形は、非排他的な包含をカバーすることを意図しているので、要素の列挙を含む製品又はシステムはそれらの要素を含むだけではなく、明示的に列挙されていない他の要素をも含む、又は、そのような製品又はシステムに固有の要素をも更に含むことは注目に値する。さらなる制約がなければ、 「…を含む」とされた要素は、その要素を含む製品又はシステム内に追加の同一の要素が存在することを排除するものではない。
【００５２】
グループチャットメッセージ中の大事なメッセージを見逃す既存の高い確率を下げる本開示の発明概念は：グループメッセージ表示インターフェースにて第１の連絡先に関する操作が検出されると、第１の連絡先の全てのメッセージは、それらが投稿された時系列に従ってグループメッセージ表示インターフェースに表示され、他の連絡先のメッセージは隠される。これにより、ユーザは、ユーザが知らねばならない、連絡先により投稿されたメッセージを、グループメッセージ表示インターフェースから迅速且つ便利に選択できるので、ユーザが知らねばならない、連絡先により投稿されたメッセージを見逃すことはない。したがって、メッセージを見逃す確率は下がる。具体的な実施を参照しつつ、本開示を詳細に説明する。
【００５３】
図１は、本願の実施に係る、グループメッセージを処理するための方法を示す概略フローチャートである。図１に示すように、本方法は、以下のステップを含む。
【００５４】
１０１：グループメッセージ表示インターフェースにて、第１の連絡先のプロフィール画像が第１の方向へ所定距離分、ドラッグされたことを検出する。
【００５５】
図２は、グループメッセージ表示インターフェースを示す概略図である。図２は、高校のクラスメートのグループを示す。グループ内の各連絡先がメッセージを投稿すると、これらのメッセージは、それらが投稿された時系列に従ってグループメッセージ表示インターフェースへ表示される。
【００５６】
本開示のこの実施における第１の方向は、タッチ画面に沿う横右手（水平右向き）方向であってよい。当然ながら、第１の方向はタッチ画面に沿う縦（垂直）方向又は別の方向であってよい。本開示において第１の方向は限定されない。図３は、本開示の実施による、プロフィール画像のドラッグ方向を示す概略図である。図３に示すように、ユーザがグループ内の連絡先Ａ（第１の連絡先）のメッセージを選択したい場合、ユーザは指又は他のタッチツールを使って、グループメッセージ表示インターフェースの連絡先Ａのプロフィール画像（短縮して、「Ａのプロフィール画像」と呼ぶ）をタップ（ロック又は選択）し、Ａのプロフィール画像を、タッチ画面に沿って横右手方向へ特定距離（所定距離）分、ドラッグする。オプションではあるが、本開示のこの実施におけるグループメッセージ表示インターフェースの色を変えることができる。図３に示すように、Ａのプロフィール画像を、タッチ画面に沿って横右手方向に特定距離（所定距離）分、ドラッグすると、グループメッセージ表示インターフェースはグレイに変わる。オプションではあるが、選択された連絡先のメッセージを選択するプロンプトがグループメッセージ表示インターフェースに表示される。図３に示すように、「連絡先Ａの全てのメッセージを選択する」のプロンプトが表示される。
【００５７】
１０２：第１の連絡先の全てのメッセージを、第１の連絡先のプロフィール画像に基づいて、それらメッセージが投稿された時系列に従って、グループメッセージ表示インターフェースへ表示する。
【００５８】
図４は、本開示の実施に係る、ある連絡先の選択されたメッセージの表示インターフェースを示す概略図である。図４に示すように、ユーザが指を離すと（つまり、ユーザが、連絡先Ａのプロフィール画像から指を離すと）、連絡先Ａが投稿した全てのメッセージがグループメッセージ表示インターフェースへ表示され、連絡先Ａのメッセージは、それらが投稿された時系列に従って明確に表示される。
【００５９】
オプションではあるが、図４に示すように、第１のアイコンと第２のアイコンとが、グループメッセージ表示インターフェースの所定位置（例えば、図４に示すグループメッセージ表示インターフェースの頂部位置）に表示される。第１のアイコンは、図４に示すアイコン「全員」のように、全連絡先を示すアイコンを表す。第２のアイコンは、図４に示す、連絡先Ａのプロフィール画像アイコンのように、選択された第１の連絡先を示すプロフィール画像アイコンを表す。本開示では、選択された連絡先を表すために、第２のアイコンを強調（ハイライト）表示できる、又は、別の色で表示できる。
【００６０】
「所定位置」は、グループメッセージ表示インターフェースの頂部位置に限定されない。
【００６１】
１０３：他の連絡先のメッセージ件数を、メッセージが投稿された時系列に従って、グループメッセージ表示インターフェースの対応する表示位置に表示する。
【００６２】
連絡先Ａのメッセージが選択され、これらがグループメッセージ表示インターフェースに表示されると、その他の連絡先により投稿されたメッセージ件数が、メッセージが投稿された時系列に従って、対応する表示位置に表示される。図４に示すように、連絡先Ａが第１のメッセージを投稿した後に、他の連絡先もメッセージを投稿する。このケースでは、連絡先Ａにより投稿された第１のメッセージが表示された位置の下に、他の連絡先のメッセージ内容は表示されない。その代わり、他の連絡先により投稿されたメッセージ件数のみが表示される。
【００６３】
当然ながら、本開示のこの実施では、ユーザにより投稿されたメッセージは、メッセージが投稿された時系列に従って、対応する表示位置に表示される。
【００６４】
本開示のこの実施では、選択された連絡先のプロフィール画像を、グループメッセージ表示インターフェースにおいて所定方向に所定距離分、ドラッグした後に、選択された連絡先のメッセージ内容をグループメッセージ表示インターフェースへ表示できるが、他の連絡先のメッセージ内容は表示されない。その代わり、メッセージ件数が、それらメッセージが投稿された時系列に従って、対応する表示位置に自動表示される。よって、ユーザは、ユーザが知らねばならない、連絡先により投稿されたメッセージを、グループメッセージ表示インターフェースから迅速且つ便利に選択でき、ユーザが知らねばならない、連絡先により投稿されたメッセージを見逃さない。そのため、メッセージを見逃す確率は下がる。
【００６５】
図５は、本願の実施による、グループメッセージを処理する方法を示す概略フローチャートである。図５に示すように、本方法は以下のステップを含む。
【００６６】
２０１：グループメッセージ表示インターフェースの所定位置にて、第１のアイコンがタップされたことを検出する。
【００６７】
オプションではあるが、第１のアイコンをタップすると、第１のアイコンをハイライト表示したり、色を変えたりすることができる。図６は、本開示の実施による、メッセージ復元方法を示す概略図である。図６に示すように、ユーザがグループメッセージ表示インターフェースのアイコン「全員」（第１のアイコン）をタップすると、アイコン「全員」がグレイからグリーンに変わる。
【００６８】
２０２：全ての連絡先のメッセージを、それらが投稿された時系列に従って、グループメッセージ表示インターフェースへ表示する。
【００６９】
図６に示すように、ユーザがグループメッセージ表示インターフェース内のアイコン「全員」（第１のアイコン）をタップすると、全ての連絡先のメッセージは、それらが投稿された時系列に従ってグループメッセージ表示インターフェースへ表示される。このケースでは、選択された連絡先Ａのプロフィール画像（第２のアイコン）が、ハイライト表示されたブルーからグレイに変わる。
【００７０】
図７は、本願の実施による、グループメッセージを処理する方法を示す概略フローチャートである。図７に示すように、本方法は以下のステップを含む。
【００７１】
３０１：グループメッセージ表示インターフェースにて、メッセージ件数がタップされたことを検出する。
【００７２】
３０２：メッセージ件数に対応する全てのメッセージを、それらが投稿された時系列に従ってグループメッセージ表示インターフェースへ表示する。
【００７３】
図４に示すように、ユーザが「２通のメッセージ」及び「１５通のメッセージ」をタップすると、図６に示すように「２通のメッセージ」及び「１５通のメッセージ」のメッセージ内容を示すことができ、これらのメッセージは、それらが投稿された時系列に従ってグループメッセージ表示インターフェースへ表示される。
【００７４】
本開示のこの実施では、グループメッセージ表示インターフェースの所定位置における第１のアイコン（例えば、アイコン「全員」）をタップすると、全ての連絡先により投稿されたメッセージを、それらが投稿された時系列に従ってグループメッセージ表示インターフェースへ表示できる、又は、グループメッセージ表示インターフェースにてメッセージ件数をタップすると、対応するメッセージ内容を、それらメッセージが投稿された時系列に従って、グループメッセージ表示インターフェースの対応する表示位置に表示できる。よって、ユーザは、他の連絡先により投稿されたメッセージを迅速且つ便利に復元できる。
【００７５】
図８は、本願の実施による、グループメッセージを処理する方法を示す概略フローチャートである。図８に示すように、第１の連絡先のメッセージを選択した後に、ユーザが更に第２の連絡先のメッセージを選択したい場合、本方法は以下のステップを含む。
【００７６】
４０１：グループメッセージ表示インターフェースにて、第２の連絡先のプロフィール画像が第１の方向に所定距離分、ドラッグされたことを検出する。
【００７７】
図９に示すように、ユーザは、連絡先Ａのメッセージを選択した後に、連絡先Ｂのメッセージを更に選択したい場合、連絡先Ｂのプロフィール画像をタッチ画面に沿って横右手方向へ所定距離分、ドラッグする。
【００７８】
４０２：第２の連絡先の全てのメッセージを、第２の連絡先のプロフィール画像に基づき、メッセージが投稿された時系列に従ってグループメッセージ表示インターフェースへ追加表示する。
【００７９】
第１の連絡先の全てのメッセージ及び第２の連絡先の全てのメッセージは、それらが投稿された時系列に従って表示される。図１０に示すように、連絡先Ａにより投稿されたメッセージ及び連絡先Ｂにより投稿されたメッセージは、それら投稿された時系列に従ってグループメッセージ表示インターフェースへ表示される。
【００８０】
４０３：第３のアイコンを、グループメッセージ表示インターフェースの所定位置に追加表示する。
【００８１】
第３のアイコンは、選択された第２の連絡先を示すプロフィール画像アイコンを表す。
【００８２】
図１０に示すように、連絡先Ｂ（第２の連絡先）のプロフィール画像がグループメッセージ表示インターフェースの頂部位置（所定位置）に追加され、連絡先Ｂのプロフィール画像がハイライト表示される、又は、色（オレンジ）表示される。
【００８３】
４０４：グループメッセージ表示インターフェースにて、第２の連絡先のメッセージ件数を、メッセージが投稿された時系列に従って、対応する表示位置に表示された他の連絡先のメッセージ件数から減算する。
【００８４】
図４に示すように、オリジナルの連絡先Ａのメッセージの下にある２通のメッセージのうちの１通は連絡先Ｂによって投稿されている。連絡先Ｂのメッセージが選択された後、連絡先Ｂにより投稿されたメッセージの下には他の連絡先のメッセージ１通のみが残る。図１０に示すように、グループメッセージ表示インターフェースでは、連絡先Ｂ（第２の連絡先）により投稿されたメッセージ件数は、メッセージが投稿された時系列に従って、対応する表示位置に表示された他の連絡先のメッセージ件数から減算される。
【００８５】
図１１は、本願の実施による、グループメッセージを処理する方法を示す概略フローチャートである。図１１に示すように、この方法は以下のステップを含む。
【００８６】
５０１：グループメッセージ表示インターフェースの所定位置にて第２のアイコン又は第３のアイコンが第２の方向へ所定距離分、ドラッグされたことを検出する。
【００８７】
５０２：第２のアイコン又は第３のアイコンに対応する連絡先のメッセージをグループメッセージ表示インターフェースに表示するステップをスキップする。
【００８８】
５０３：グループメッセージ表示インターフェースにおいて、メッセージが投稿された時系列に従って、対応する表示位置に表示される他の連絡先のメッセージ件数を、第２のアイコン又は第３のアイコンに対応する連絡先のメッセージ件数分、増分する。
【００８９】
図１２に示すように、ユーザが、選択された連絡先Ｂのメッセージをグループメッセージ表示インターフェースから消したい場合、ユーザは、グループメッセージ表示インターフェースの頂部位置（所定位置）にある連絡先Ｂ（第３のアイコン）のプロフィール画像を選択し、連絡先Ｂのプロフィール画像をタッチ画面に沿って横下（水平下向き）方向（第２の方向）へ特定距離分、ドラッグするだけでよい。こうすることで、連絡先Ｂにより投稿されたメッセージがグループメッセージ表示インターフェースに表示されなくなる。図４に示すように、グループメッセージ表示インターフェースにて、メッセージが投稿された時系列に従って、対応する表示位置に表示された他の連絡先のメッセージ件数は、連絡先Ｂにより投稿されたメッセージ件数分、増分される。
【００９０】
本開示のこの実施では、選択した連絡先のプロフィール画像を所定方向へ特定距離分、ドラッグした後に、グループメッセージ表示インターフェースにおいて、選択された連絡先により投稿されたメッセージを消すことができ、メッセージが投稿された時系列に従って、対応する表示位置に表示される他の連絡先のメッセージ件数は、選択された連絡先により投稿されたメッセージ件数分、増分される。このように、ユーザは、グループメッセージ表示インターフェースにおいて、選択された連絡先により投稿されたメッセージを迅速且つ便利に消すことができる。既存技術では、ユーザが、特定の連絡先により投稿されたメッセージをグループメッセージから検出したい場合、ユーザは、グループメッセージ表示インターフェースにてその連絡先により投稿されたメッセージを１通ずつ選択して消さねばならず、煩わしい操作となる。本開示のこの実施における解決策では、メッセージ消去操作が簡素化されることにより、ユーザエクスペリエンスが向上する。
【００９１】
図１３は、本願の実施によるグループメッセージを処理する方法を示す概略フローチャートである。図１３に示すように、この方法は以下のステップを含む。
【００９２】
６０１：新しいメッセージを検出する。
【００９３】
６０２：新しいメッセージを投稿した連絡先が選択されているかどうかを特定し、肯定であればステップ６０３を実行し、否定であればステップ６０４を実行する。
【００９４】
通常、連絡先がグループ内でメッセージを投稿する場合、各メッセージはその連絡先のユーザ情報を含む。新しいメッセージを投稿する連絡先は、新しいメッセージに含まれている連絡先のユーザ情報を用いて特定できる。図１に示す実施の方法によれば、ユーザがグループ内の１つ以上の連絡先のメッセージを選択する場合、ユーザは、新しいメッセージを投稿する連絡先と選択した連絡先とを照合する。照合の成功は、新しいメッセージを投稿する連絡先が選択されたことを示す。照合の失敗は、新しいメッセージを投稿する連絡先が選択されていないことを示す。
【００９５】
６０３：新しいメッセージをグループメッセージ表示インターフェースに表示する。
【００９６】
６０４：新しいメッセージはユーザにより投稿された新しいメッセージであるかどうかを特定し、肯定であればステップ６０３を実行し、否定であればステップ６０５を実行する。
【００９７】
新しいメッセージが、ユーザにより投稿された新しいメッセージである場合、新しいメッセージがグループメッセージ表示インターフェースへ表示される。
【００９８】
６０５：メッセージ件数を、メッセージが投稿された時系列に従って対応する表示位置に表示する。
【００９９】
新しいメッセージが、他の（ユーザでも、選択された連絡先でもない）連絡先により投稿された新しいメッセージである場合、この新しいメッセージはグループメッセージ表示インターフェースへ表示されない。その代わりに、このメッセージ件数は、対応する表示位置に、メッセージが投稿された時系列に従って表示される。
【０１００】
本開示のこの実施では、選択された選択先をユーザが設定した後に、新しいメッセージか検出されると、先ず、新しいメッセージが、選択された連絡先によって、又は、ユーザによって投稿されたメッセージであるかどうかが特定される。肯定であれば、新しいメッセージはグループメッセージ表示インターフェースへ、直接、表示される。否定であれば、新しいメッセージの内容は表示されない。その代わりに、メッセージ件数を、メッセージが投稿された時系列に従って対応する表示位置に表示する。これにより、ユーザは、選択された連絡先（ユーザが知るべき連絡先）のメッセージを便利且つ迅速に閲覧できるので、ユーザエクスペリエンスは向上する。
【０１０１】
図１４は、本願の実施による、グループメッセージを処理するデバイスを示す概略構造図である。図１４に示すように、このデバイスは、グループメッセージ表示インターフェースにおける第１の連絡先への操作を検出するように構成された検出モジュール７１と：グループメッセージ表示インターフェースにて、第１の連絡先の全てのメッセージを、それらが投稿された時系列に従って表示するように構成された第１の表示モジュール７２と；他の連絡先のメッセージを隠すように構成された隠しモジュール７６と；を含む。
【０１０２】
オプションではあるが、検出モジュール７１は、グループメッセージ表示インターフェースにて、第１の連絡先のプロフィール画像が第１の方向へ所定距離分、ドラッグされたことを検出するよう更に構成される。
【０１０３】
第１の表示モジュール７２は、グループメッセージ表示インターフェースにて、第１の連絡先のプロフィール画像に基づき、第１の連絡先の全てのメッセージを、それらが投稿された時系列に従って表示するよう更に構成される。
【０１０４】
オプションではあるが、本開示のデバイスは、他の連絡先のメッセージ件数を、メッセージが投稿された時系列に従って、グループメッセージ表示インターフェースの対応する表示位置に表示するよう構成された第２の表示モジュール７３を更に含む。
【０１０５】
オプションではあるが、デバイスは選択プロンプトモジュール７４を更に含む。選択プロンプトモジュール７４は、グループメッセージ表示インターフェースにて、第１の連絡先のプロフィール画像が第１の方向へ所定距離分、ドラッグされたことを検出モジュール７１が検出した後に、グループメッセージ表示インターフェースの色を変えるよう、及び／又は、グループメッセージ表示インターフェースに第１の連絡先のメッセージを選択するプロンプトを表示するよう構成される。
【０１０６】
オプションではあるが、デバイスは第３の表示モジュール７５を更に含む。第３の表示モジュール７５は、第１のアイコンと第２のアイコンとをグループメッセージ表示インターフェースの所定位置に表示するよう構成され、ここで、第１のアイコンは全ての連絡先を示すアイコンを表し、第２のアイコンは選択された第１の連絡先を示すプロフィール画像アイコンを表す。
【０１０７】
オプションではあるが、検出モジュール７１は、グループメッセージ表示インターフェースの所定位置にて第１のアイコンがタップされたことを検出するよう更に構成され；第１の表示モジュール７２は、全員の連絡先のメッセージを、それらが投稿された時系列に従って表示するよう更に構成され；及び／又は、検出モジュール７１は、グループメッセージ表示インターフェースにてメッセージ件数がタップされたことを検出するよう更に構成され；第１の表示モジュール７２は、このメッセージ件数に対応する全てのメッセージを、それらメッセージが投稿された時系列に従って表示するよう更に構成される。
【０１０８】
オプションではあるが、検出モジュール７１は、第１の表示モジュール７２が第１の連絡先の全てのメッセージを、それらが投稿された時系列に従ってグループメッセージ表示インターフェースへ表示した後に、グループメッセージ表示インターフェースにて第２の連絡先のプロフィール画像が第１の方向へ所定距離分、ドラッグされたことを更に検出する。
【０１０９】
第１の表示モジュール７２は、第２の連絡先のプロフィール画像に基づき、第２の連絡先の全てのメッセージを、それらが投稿された時系列に従ってグループメッセージ表示インターフェースへ追加表示するよう更に構成され、ここで、第１の連絡先の全てのメッセージ及び第２の連絡先の全てのメッセージは、それらが投稿された時系列に従って表示される。
【０１１０】
第３の表示モジュール７５は、第３のアイコンをグループメッセージ表示インターフェースの所定位置に追加表示するよう更に構成され、ここで、第３のアイコンは、選択された第２の連絡先のプロフィール画像アイコンを表す。
【０１１１】
第２の表示モジュール７３は、グループメッセージ表示インターフェースにて、第２の連絡先のメッセージ件数を、メッセージが投稿された時系列に従って対応する表示位置に表示された他の連絡先のメッセージ件数から減算するよう更に構成される。
【０１１２】
オプションではあるが、検出モジュール７１は、グループメッセージ表示インターフェースの所定位置にて第２のアイコン又は第３のアイコンが第２の方向へ所定距離分、ドラッグされたことを検出するように更に構成される。
【０１１３】
第１の表示モジュール７２は、グループメッセージ表示インターフェースにて、第２のアイコン又は第３のアイコンに対応する連絡先のメッセージを表示することをスキップするよう更に構成される。
【０１１４】
第２の表示モジュール７３は、グループメッセージ表示インターフェースにて、第２のアイコン又は第３のアイコンに対応する連絡先のメッセージ件数分、メッセージが投稿された時系列に従って、対応する表示位置に表示された他の連絡先のメッセージ件数を増分するよう更に構成される。
【０１１５】
オプションではあるが、検出モジュールが新しいメッセージを検出し、その新しいメッセージは、選択された連絡先により投稿された新しいメッセージである又はユーザにより投稿された新しいメッセージである、と特定した場合、第１の表示モジュール７２は、グループメッセージ表示インターフェースへ新しいメッセージを表示するよう更に構成される。
【０１１６】
第２の表示モジュール７３は、検出モジュールが新しいメッセージを検出し、その新しいメッセージは他の連絡先により投稿された新しいメッセージである、と特定した場合、グループメッセージ表示インターフェースに新しいメッセージを表示することをスキップし、メッセージ件数を、メッセージが投稿された時系列に従って対応する表示位置に表示するよう更に構成される。
【０１１７】
図１４に示すデバイスは、図１乃至図１３に示す実施における方法を実行することができる。実施の原理及び技術的効果を繰り返し記載しないが、先の各実施における関連する記述を参照できる。
【０１１８】
前述の説明は、本開示のいくつかの好ましい実施を示し説明している。しかしながら、上述のように、本開示は本明細書に開示された形態に限定されず、その形態は他の実施から排除されることを意図するものではなく、他の様々な組み合わせ、変形、及び環境において使用可能であり、先の教示又は関連分野における技術及び知識を使用することによって、本明細書の発明概念の範囲内で変更することができることを理解すべきである。更に、当業者によって行われる修正及び変形はすべて、本開示の精神及び範囲から逸脱しない限り、本開示の添付の特許請求の範囲の保護範囲内に含まれるべきである。
【図１】
2019515401.tif 000003
【図２】
2019515401.tif 000004
【図３】
2019515401.tif 000005
【図４】
2019515401.tif 000006
【図５】
2019515401.tif 000007
【図６】
2019515401.tif 000008
【図７】
2019515401.tif 000009
【図８】
2019515401.tif 000010
【図９】
2019515401.tif 000011
【図１０】
2019515401.tif 000012
【図１１】
2019515401.tif 000013
【図１２】
2019515401.tif 000014
【図１３】
2019515401.tif 000015
【図１４】
2019515401.tif 000016
【国際調査報告】
2019515401.tif 000017
2019515401.tif 000018
2019515401.tif 000019
2019515401.tif 000020